(57)【要約】【課題】画像と文字等の混合した画面を複数の表示装置に分けて表示でき、かつ表示内容が視聴者の嗜好に適合するようにする。【解決手段】画像表示装置１１は、デジタル放送の放送信号を選択して受信する受信手段と、受信手段が受信した放送信号から得られる番組データを用いて画像を表示する画像表示手段と、画像表示手段とは別体の外部表示装置に画像を表示させるための外部番組データを番組データから抽出するための抽出情報を設定する抽出情報設定手段と、抽出情報設定手段により設定された抽出情報にしたがい、番組データから外部番組データを抽出する抽出手段と、抽出手段により抽出された外部番組データを外部表示装置に出力する番組データ出力手段とを有している。【選択図】図５
2009246718.tif 000002
【特許請求の範囲】
【請求項１】
デジタル放送の放送信号を選択して受信する受信手段と、
該受信手段が受信した前記放送信号から得られる番組データを用いて画像を表示する画像表示手段と、
前記画像表示手段とは別体の外部表示装置に画像を表示させるための外部番組データを前記番組データから抽出するための抽出情報を設定する抽出情報設定手段と、
該抽出情報設定手段により設定された前記抽出情報にしたがい、前記番組データから前記外部番組データを抽出する抽出手段と、
該抽出手段により抽出された前記外部番組データを前記外部表示装置に出力する番組データ出力手段とを有することを特徴とする画像表示装置。
【請求項２】
前記抽出情報を設定するための設定画面を前記画像表示手段に表示させる画面表示制御手段を更に有し、
前記抽出情報設定手段は、前記設定画面を用いて入力された情報にしたがい前記抽出情報を設定することを特徴とする請求項１記載の画像表示装置。
【請求項３】
デジタル放送の放送信号を選択して受信する受信手段と、
該受信手段が受信した前記放送信号から得られる番組データを用いて画像を表示する画像表示手段と、
前記画像表示手段とは別体の外部表示装置に表示させるテロップを特定するためのテロップ抽出情報を設定するテロップ抽出情報設定手段と、
該テロップ抽出情報設定手段により設定された前記テロップ抽出情報にしたがい、前記番組データからテロップを抽出するテロップ抽出手段と、
該テロップ抽出手段により抽出された抽出テロップを前記外部表示装置に出力するテロップ出力手段とを有することを特徴とする画像表示装置。
【請求項４】
前記テロップ抽出情報を設定するためのテロップ設定画面を前記画像表示手段に表示させる画面表示制御手段を更に有し、
前記テロップ抽出情報設定手段は、前記テロップ設定画面を用いて入力された情報にしたがい前記テロップ抽出情報を設定することを特徴とする請求項３記載の画像表示装置。
【請求項５】
前記番組データに含まれるテロップを種類ごとに分類して格納するテロップ格納手段を更に有し、
前記テロップ抽出手段は、前記テロップ格納手段に格納されているテロップのうち、前記テロップ抽出情報設定手段により設定された前記テロップ抽出情報に対応するテロップを抽出することを特徴とする請求項３記載の画像表示装置。
【請求項６】
前記抽出テロップのサイズまたはレイアウトを調整する調整手段を更に有し、
前記テロップ出力手段は、前記調整手段によりサイズまたはレイアウトが調整された調整テロップを前記外部表示装置に出力することを特徴とする請求項３記載の画像表示装置。
【請求項７】
前記テロップ抽出手段が前記抽出テロップを抽出した後、前記抽出テロップの後に表示される後続テロップが出現するまで前記外部表示装置が前記抽出テロップを表示するように制御するテロップ表示制御手段を更に有することを特徴とする請求項３記載の画像表示装置。
【請求項８】
前記テロップ表示制御手段は、前記外部表示装置に前記抽出テロップとともに前記後続テロップを表示させることを特徴とする請求項７記載の画像表示装置。
【発明の詳細な説明】
【技術分野】
【０００１】
本発明は、地上放送、衛星放送等のテレビ放送の受信手段と画像表示手段を備えた画像表示装置に関する。
【背景技術】
【０００２】
従来、地上放送、衛星放送等のテレビ放送の受信手段と画像表示手段を備えた画像表示装置は様々なタイプのものが実用化されている。近年の画像表示装置は従来のアナログ放送に加えてデジタル放送の放送波を受信し、受信した放送波から取り出した画像信号を用いて番組の画像を表示するデジタル放送に対応した装置が普及している。
【０００３】
また、デジタル放送の実用化に伴い、画像表示装置により、動画や静止画といった画像と文字や記号などが混合した画面を見ながら番組を視聴する機会が増えてきている。このようなことから、従来、大きな画面表示部を備えた据え置き型の親機と小さな画面表示部を備えた子機とを連携させ、親機で画像を表示し、子機で文字を表示するようにした親子連携型のテレビシステムが知られていた（例えば特許文献１参照）。
【特許文献１】特開平１１−１９６３４５号公報
【発明の開示】
【発明が解決しようとする課題】
【０００４】
しかしながら、前述した従来のテレビシステムでは、画像と文字等の混合した画面を親機と子機に分けて表示できるものの、視聴者が子機で表示する内容を選ぶ等して自らの好みに適合させる手段が備えられていなかったため、表示内容が視聴者の嗜好に適合したものにならないことがあった。
【０００５】
そこで、本発明は上記課題を解決するためになされたもので、画像と文字等の混合した画面を複数の表示装置に分けて表示でき、かつ表示内容が視聴者の嗜好に適合するようにした画像表示装置を提供することを目的とする。
【課題を解決するための手段】
【０００６】
上記課題を解決するため、本発明は、デジタル放送の放送信号を選択して受信する受信手段と、その受信手段が受信した放送信号から得られる番組データを用いて画像を表示する画像表示手段と、画像表示手段とは別体の外部表示装置に画像を表示させるための外部番組データを番組データから抽出するための抽出情報を設定する抽出情報設定手段と、その抽出情報設定手段により設定された抽出情報にしたがい、番組データから外部番組データを抽出する抽出手段と、その抽出手段により抽出された外部番組データを外部表示装置に出力する番組データ出力手段とを有する画像表示装置を特徴とする。
【０００７】
また、本発明は、デジタル放送の放送信号を選択して受信する受信手段と、その受信手段が受信した放送信号から得られる番組データを用いて画像を表示する画像表示手段と、画像表示手段とは別体の外部表示装置に表示させるテロップを特定するためのテロップ抽出情報を設定するテロップ抽出情報設定手段と、そのテロップ抽出情報設定手段により設定されたテロップ抽出情報にしたがい、番組データからテロップを抽出するテロップ抽出手段と、そのテロップ抽出手段により抽出された抽出テロップを外部表示装置に出力するテロップ出力手段とを有する画像表示装置を提供する。
【発明の効果】
【０００８】
以上詳述したように、本発明によれば、画像と文字等の混合した画面を複数の表示装置に分けて表示でき、かつ表示内容が視聴者の嗜好に適合するようにした画像表示装置が得られる。
【発明を実施するための最良の形態】
【０００９】
以下、本発明の実施の形態について説明する。なお、同一要素には同一符号を用い、重複する説明は省略する。
【００１０】
図１は、画像表示装置１１とパーソナルコンピュータ（コンピュータともいう）２８とを有する画像表示システム１００の構成を示すブロック図である。画像表示システム１００は、液晶表示装置１４を備えた画像表示装置１１と、液晶表示装置２８ａを備えたコンピュータ２８という２台の画像表示装置を有している。
【００１１】
画像表示システム１００では、画像表示装置１１でデジタル放送の放送信号を受信して、その放送信号から得られる番組データを用いて画像表示装置１１でテレビ放送の画像を表示する。また、画像表示システム１００では、画像表示装置１１から、テレビ放送に付随しているデータ放送の番組データのうち、ユーザの嗜好に適合した表示を行うための番組データ（外部番組データともいう）を画像表示装置１１とは別体のコンピュータ２８に出力することによって、コンピュータ２８で文字やテロップなどを表示する。
【００１２】
画像表示装置１１は、図２、図３にも示すように、キャビネット１２と、キャビネット１２を起立させて支持する支持台１３とを有している。キャビネット１２は、液晶表示パネルを備えた平面パネル型の液晶表示装置１４を有している。また、画像表示装置１１は、音声を出力するスピーカ１５、操作部１６およびリモートコントローラ１７から送信される操作情報を受ける受光部１８（いずれも図２には図示せず）を有している。
【００１３】
画像表示装置１１は、画像を表示する画像表示手段としての液晶表示装置１４によってテレビ放送の番組の画像を表示するとともに、ＳＴＢ３５から入力する映像信号を用いた映像も表示する。
【００１４】
画像表示装置１１は、例えばＳＤ（Secure  Digital）メモリカード、ＵＳＢメモリ等のメモリカード１９（図３参照）が着脱可能となっており、このメモリカード１９を用いて番組や写真等の記録再生が行われるようになっている。
【００１５】
そして、画像表示装置１１は、第１のＬＡＮ（Local  Area  Network）端子２１、第２のＬＡＮ（Local  Area  Network）端子２２、第１のＨＤＭＩ（High-Definition  Multimedia  Interface）端子２３、第２のＨＤＭＩ（High-Definition  Multimedia  Interface）端子２４を有している。
【００１６】
これらの端子は、ユーザの行う操作に対応して選択され、選択された端子に接続されている装置が画像表示用の装置に設定される。例えば、ユーザの行う操作によって第２のＨＤＭＩ端子２４が選択されたときはコンピュータ２８が画像表示用の装置に設定される。
【００１７】
第１のＬＡＮ端子２１は、ＬＡＮ対応ＨＤＤ専用ポートとして使用される。この第１のＬＡＮ端子２１は、接続されたＮＡＳ（Network  Attached  Storage）としてのＬＡＮ対応ＨＤＤ２５に対して、イーサネット（登録商標）により情報の記録再生を行うために使用される。
【００１８】
また、第２のＬＡＮ端子２２は、イーサネットを用いた一般的なＬＡＮ対応ポートとして使用される。この第２のＬＡＮ端子２２は、ハブ２６を介して例えばＬＡＮ対応の外付けＨＤＤ２７等の機器が接続され、これらの機器と情報伝送を行なうために使用される。
【００１９】
そして、第１、第２のＨＤＭＩ端子２３、２４は、ＨＤＭＩ規格にしたがって、高精細のデジタル映像信号およびデジタル音声信号を外部装置から入力するための端子である。第１のＨＤＭＩ端子２３には外部装置としてＳＴＢ３５が接続され、第２のＨＤＭＩ端子２４にはコンピュータ２８が接続されている。
【００２０】
第１、第２のＨＤＭＩ端子２３，２４は、ＨＤＭＩケーブル３７のデータライン３７ａを介してデジタル映像信号およびデジタル音声信号が外部装置との間で入出力される。また、画像表示装置１１と、第１、第２のＨＤＭＩ端子２３，２４に接続されている外部装置との間でＣＥＣライン３７ｂを介して種々のコマンド（“Power  On”コマンドなど）が入出力される。さらに、画像表示装置１１からコンピュータ２８に対して、第２のＨＤＭＩ端子２４からＣＥＣライン３７ｂを介して外部番組データやテロップなどが出力される。
【００２１】
ＳＴＢ３５は、図示しないケーブルテレビのネットワークに接続して番組を受信したり、図示しない電話回線に接続してインターネット接続を行う。ＳＴＢ３５は、映像信号をＨＤＭＩケーブル３７を介して画像表示装置１１に出力する。
【００２２】
コンピュータ２８は、液晶表示パネルが組み込まれた液晶表示装置２８ａと、コンピュータ本体２８ｂとを有している。コンピュータ２８は、画像表示装置１１から出力される外部番組データやテロップなどを液晶表示装置２８ａに表示することができる。
【００２３】
次に、図３を参照して画像表示装置１１の内部の構成について説明する。図３は画像表示装置１１の内部の主要な構成を示すブロック図である。
【００２４】
画像表示装置１１は、入力端子４４，４９、チューナ４５，５０，５２およびＰＳＫ（Phase  Shift  Keying）復調器４６を有している。また、画像表示装置１１は、信号処理部４７、ＯＦＤＭ（Orthogonal  Frequency  Division  Multiplexing）復調器５１、アナログ復調器５３、グラフィック処理部５４、音声処理部５５、ＯＳＤ信号生成部５７および映像処理部５８を有している。
【００２５】
入力端子４４には、ＢＳ／ＣＳデジタル放送受信アンテナ４３が捕らえた衛星デジタル放送信号が入力される。衛星デジタル放送信号は入力端子４４からチューナ４５に供給される。チューナ４５は衛星デジタル放送用のチューナであって、供給される衛星デジタル放送信号から所望のチャンネルの放送信号を選択して受信する。
【００２６】
このチューナ４５で選局された放送信号はＰＳＫ復調器４６に供給される。ＰＳＫ復調器４６はデジタルの映像信号及び音声信号の復調処理を行い番組データを生成して信号処理部４７に出力する。
【００２７】
入力端子４９には、地上放送受信アンテナ４８が捕らえた地上デジタル放送信号が入力される。地上デジタル放送信号は入力端子４９からチューナ５０に供給される。チューナ５０は地上デジタル放送用のチューナであって、供給される地上デジタル放送信号から所望のチャンネルの放送信号を選択して受信する。
【００２８】
このチューナ５０で選局された放送信号はＯＦＤＭ復調器５１に供給される。ＯＦＤＭ復調器５１は復調処理を行い、映像データ、音声データ、文字データ等を含む番組データを生成して信号処理部４７に出力する。
【００２９】
また、入力端子４９には、地上放送受信アンテナ４８が捕らえた地上アナログ放送信号が入力される。地上アナログ放送信号は入力端子４９からチューナ５２に供給される。チューナ５２は地上アナログ放送用のチューナであって、供給される地上アナログ放送信号から所望のチャンネルの放送信号を選択して受信する。
【００３０】
このチューナ５２で選局された放送信号はアナログ復調器５３に供給される。アナログ復調器５３は、アナログの映像信号及び音声信号の復調処理を行い、信号処理部４７に出力する。
【００３１】
信号処理部４７は、ＰＳＫ復調器４６及びＯＦＤＭ復調器５１からそれぞれ供給された番組データに対して、所定のデジタル信号処理を施して制御部６０、グラフィック処理部５４及び音声処理部５５に出力する。
【００３２】
また、信号処理部４７には、複数（図示の場合は４つ）の入力端子５６ａ，５６ｂ，５６ｃ，５６ｄが接続されている。これら入力端子５６ａ〜５６ｄは、外部装置としてのＤＶＤレコーダなどから、アナログの映像信号及び音声信号を入力可能とするものである。
【００３３】
そして、この信号処理部４７は、アナログ復調器５３及び各入力端子５６ａ〜５６ｄからそれぞれ供給されたアナログの映像信号及び音声信号をデジタル化する。また、信号処理部４７は、デジタル化された映像信号及び音声信号に対して所定のデジタル信号処理を施した後、グラフィック処理部５４及び音声処理部５５に出力する。
【００３４】
グラフィック処理部５４は、信号処理部４７から供給されるデジタルの映像信号に、ＯＳＤ（On  Screen  Display）信号生成部５７で生成されるＯＳＤ信号を重畳して出力する。このグラフィック処理部５４は、信号処理部４７の出力映像信号と、ＯＳＤ信号生成部５７が出力するＯＳＤ信号とを選択的に出力することと、両出力をそれぞれ画面の半分を構成するように組み合わせて出力することとの双方を行える。
【００３５】
グラフィック処理部５４から出力されたデジタルの映像信号は、映像処理部５８に供給される。この映像処理部５８は、入力されたデジタルの映像信号を、液晶表示装置１４で表示可能なフォーマットのアナログ映像信号に変換した後、液晶表示装置１４に出力する。また、映像処理部５８はアナログ映像信号を出力端子５９ａを介して外部に導出する。
【００３６】
音声処理部５５は、入力されるデジタルの音声信号をスピーカ１５で再生可能なフォーマットのアナログ音声信号に変換した後、スピーカ１５に出力する。また、音声処理部５５は、アナログ音声信号を出力端子５９ｂを介して外部に導出する。
【００３７】
そして、画像表示装置１１は、制御部６０と、カードホルダ６６および各種インターフェース（カードＩ／Ｆ６５，通信Ｉ／Ｆ６８，通信Ｉ／Ｆ６９，第１のＨＤＭＩＩ／Ｆ７０，第２のＨＤＭＩＩ／Ｆ７１，ＨＤＭＩ−ＣＥＣＩ／Ｆ７２）を有している。
【００３８】
制御部６０はＣＰＵ（Central  Processing  Unit）６１、ＲＯＭ(Read  Only  Memory)６２、ＲＡＭ（Random  Access  Memory）６３および不揮発性メモリ６４を有している。この制御部６０は、放送信号の受信動作を含む画像表示装置１１の動作を統括的に制御する。また、制御部６０は、操作部１６からの操作情報を受け、または、リモートコントローラ１７から送出された操作情報を受光部１８を介して受信し、その操作内容が反映されるように各部をそれぞれ制御している。
【００３９】
ＣＰＵ６１は、ＲＯＭ６２に記憶されているプログラムにしたがい各種手段として作動する一方、他の構成要素との信号の入出力を行い、画像表示装置１１全体の動作制御を行う。
【００４０】
ＲＯＭ６２は、主としてＣＰＵ６１が実行する制御プログラムを格納している。ＲＡＭ６３は、ＣＰＵ６１に作業エリアを提供する。不揮発性メモリ６４は、各種の設定情報及び制御情報等が格納されている。本実施の形態では、不揮発性メモリ６４には後述する抽出情報、テロップ格納テーブル、テロップ抽出情報が格納されている。
【００４１】
そして、制御部６０は、カードＩ／Ｆ（Interface）６５を介して、メモリカード１９が装着可能なカードホルダ６６に接続されている。これによって、制御部６０は、カードホルダ６６に装着されたメモリカード１９と、カードＩ／Ｆ６５を介して情報伝送を行える。
【００４２】
また、制御部６０は、通信Ｉ／Ｆ６８を介して第１のＬＡＮ端子２１に接続されている。これにより、制御部６０は、第１のＬＡＮ端子２１に接続されたＬＡＮ対応ＨＤＤ２５と、通信Ｉ／Ｆ６８を介して情報伝送を行うことができる。
【００４３】
制御部６０は、通信Ｉ／Ｆ６９を介して第２のＬＡＮ端子２２に接続されている。これにより、制御部６０は、第２のＬＡＮ端子２２に接続されたＨＤＤ２７などの各装置と、通信Ｉ／Ｆ６９を介して情報伝送を行うことができる。
【００４４】
制御部６０は、第１のＨＤＭＩＩ／Ｆ７０およびＨＤＭＩ−ＣＥＣＩ／Ｆ７２を介して第１のＨＤＭＩ端子２３に接続され、第２のＨＤＭＩＩ／Ｆ７１およびＨＤＭＩ−ＣＥＣＩ／Ｆ７２を介して第２のＨＤＭＩ端子２４に接続されている。これにより、制御部６０は、第１，第２のＨＤＭＩ端子２３，２４に接続されているＳＴＢ３５およびコンピュータ２８と、第１、第２のＨＤＭＩＩ／Ｆ７０，７１、ＨＤＭＩ−ＣＥＣＩ／Ｆ７２を介して情報伝送を行うことができる。
【００４５】
（動作内容の説明；動作例１）
以上の構成を有する画像表示装置１１は、図１３に示すように、電源投入後、全体を作動させるシステム起動を行う（Ｓ１）。画像表示装置１１は、続いてコマンド受信処理を行い（Ｓ２）、システム終了コマンドを受信したかどうかを判定し（Ｓ３）、その場合はシステム終了処理を行い（Ｓ４）動作を終了するが、そうでなければ受信したコマンドに応じた処理を行って（Ｓ５）Ｓ２に戻り、Ｓ２からＳ５までを繰り返し行っている。
【００４６】
そして、画像表示装置１１は、テレビ放送とそれに付随したデータ放送とを受信して画像を表示するときは次のようにして作動する。
【００４７】
画像表示システム１００においてテレビ放送とそれに付随したデータ放送の画像を表示する場合、ユーザは予め画像表示装置１１に対して、データ放送表示設定画面１０５を用いた入力操作を行い後述する抽出情報を設定しておく。
【００４８】
ここで、データ放送表示設定画面１０５は、画像表示装置１１の代わりにコンピュータ２８に表示させるデータ放送の画像をユーザが指定するための画面であって、画面表示制御手段としてのＣＰＵ６１の制御により、液晶表示装置１４に表示される。データ放送表示設定画面１０５はデータ放送の項目を表示する項目表示部１０５ａと、出力有無指定部１０５ｂとを有し、ユーザがデータ放送の画像をデータ放送の項目ごとにコンピュータ２８に出力するか否かを指定することができる。ユーザはリモートコントローラ１７を操作してそれぞれ自分の希望に沿って指定を行う。
【００４９】
図４では、“ニュース詳細”の項目のみ「する」に指定され、そのほかの項目は「しない」に指定されているので、データ放送の番組データのうち、“ニュース詳細”に関する番組データだけがコンピュータ２８に出力され、そのほかはコンピュータ２８に出力されないようになっている。
【００５０】
ＣＰＵ６１は、データ放送表示設定画面１０５を用いてデータ入力が行われると抽出情報設定手段としての動作を行い、入力されたデータを用いて抽出情報を設定し、不揮発性メモリ６４に記憶させる。抽出情報は、テレビ放送に付随しているデータ放送の画像のうち、どれをコンピュータ２８に表示させるかという点についてのユーザの嗜好を示す情報であり、嗜好情報ともいう。
【００５１】
そして、画像表示装置１１では、チューナ５０が選局した放送信号から番組データが生成され、制御部６０に供給される。すると、ＣＰＵ６１がデータ放送として得られるＢＭＬ文書を解析し、タグから例えば表といった文書構造を取得する。
【００５２】
次に、得られた文書構造毎に含まれる文書を解析し、不揮発性メモリ６４に記憶されている抽出情報に基づき、ユーザが必要とする文書かどうかを判定する。例えばＣＰＵ６１は形態素解析などの技術を利用し、単語やそのジャンルを抽出した上で、ユーザが予め設定した抽出情報に基づき、ユーザが必要とする有用な文章かどうかを判定する。ユーザが必要とする有用な文章と判定された場合、ＣＰＵ６１が抽出手段および番組データ出力手段としての動作を行い該当する番組データを抽出し、抽出した番組データを第２のＨＤＭＩＩ／Ｆ７１により、外部番組データとしてコンピュータ２８に出力する。
【００５３】
例えば、図５に示すように、画像表示装置１１には、本来であればテレビ放送の画像１１１と、これに付随してデータ放送の画像１１２，１１３，１１４とが一緒になって表示されるところ、前述のようにして抽出情報を設定したことにより、画像表示装置１１にはテレビ放送の画像１１１だけを表示し、コンピュータ２８には、画像１１４と同じデータ放送の画像１１４ａだけを表示できる。データ放送の画像１１２，１１３はデータ放送表示設定画面１０５を用いて「しない」に設定されているので、コンピュータ２８に出力されてなく、画像表示装置１１でも表示されない。ただし、画像表示装置１１では、これらを表示してもよい。
【００５４】
しかも、データ放送の画像１１４ａは、ユーザ指定による抽出情報に基づき抽出された番組データを用いて表示されるので、ユーザの嗜好に適合した画像だけがコンピュータ２８に表示されることとなる。
【００５５】
このように、画像表示システム１００では、テレビ放送に付随しているデータ放送に複数種類の文書が含まれている場合でも、ユーザが必要とする文書の番組データだけを抽出してコンピュータ２８に画像表示を行わせ、画像表示装置１１にはテレビ放送の画像１１１を表示する一方、コンピュータ２８には抽出した番組データの画像だけを表示できるようになっている。番組データを抽出するための抽出情報はユーザの操作により設定され、ユーザが自ら明示的に指定したものであるから、コンピュータ２８の表示内容がユーザの嗜好に適合したものとなっている。なお、コンピュータ２８では、ユーザの操作、または、一定期間ごとに自動で画面を切り替えるようにしてもよい。
【００５６】
（動作内容の説明；動作例２）
画像表示システム１００において、テレビ放送の画像中にテロップが存在する場合の動作内容について説明する。
【００５７】
ユーザはテレビ放送の画像に含まれるテロップのうち、テレビ放送のジャンルごとに、コンピュータ２８によって表示するテロップの種類を指定することができる。この場合、ユーザは、テロップ分割フィルタ設定画面１０６を用いて、所望のデータを入力する。
【００５８】
ここで、テロップ分割フィルタ設定画面１０６はテレビ放送の画像中に含まれるテロップのうち、コンピュータ２８によって表示するテロップをユーザが明示的に指定するための画面であって、画面表示制御手段としてのＣＰＵ６１の制御により、液晶表示装置１４に表示される。テロップ分割フィルタ設定画面１０６は図６に示すように、テレビ放送のジャンルを示すジャンル部１０６ａと、分割指定部１０６ｂとを有している。例えば、テレビ放送のジャンルが“映画”の場合であれば、邦画と洋画それぞれについて、テロップをコンピュータ２８にすべて表示させるか、字幕だけを表示させるか、字幕以外を表示させるかを指定できる。ユーザはリモートコントローラ１７を操作してそれぞれ自分の希望に沿って指定を行う。
【００５９】
図６では、“洋画”のテロップについては、“字幕”のみ「ＯＮ」に指定されそのほかは「ＯＦＦ」になっているので、画像表示装置１１で、洋画のテレビ放送の画像を表示していて、その画像の中にテロップが含まれているときは、“字幕”のテロップだけがコンピュータ２８に表示され、それ以外のテロップはコンピュータ２８には出力されないようになっている。このとき、画像表示装置１１では、テレビ放送をテロップを含めすべて表示してもよいが、自動またはユーザの操作により、画像表示装置１１では、コンピュータ２８に表示したテロップを表示しないようにしてもよい。例えば、テロップ周囲の色などで、テロップを消去した箇所を補間するなどしてテロップを表示しないようにしてもよい。
【００６０】
その他のジャンルでは、例えば、“スポーツ”の場合は、すべて表示するか、“点数”だけ表示するか、“選手の情報”を表示するかどうかを指定できる。ＣＰＵ６１は、テロップ分割フィルタ設定画面１０６を用いてデータ入力が行われるとテロップ抽出情報設定手段としての動作を行い、コンピュータ２８に表示させるテロップを特定するためのテロップ抽出情報を設定して不揮発性メモリ６４に記憶される。この場合、テロップ抽出情報はすべてのチャンネルにおいて一意の設定となるが、放送局ごとに変更可能としてもよい。
【００６１】
そして、図１４に示すように、画像表示装置１１では、チューナ５０がテレビ放送を受信して液晶表示装置１４にテレビ放送の画像を表示しているとき（Ｓ１１）、ＣＰＵ６１が番組データを解析し（Ｓ１２）、画像中にテロップが存在するか否かを判定する（Ｓ１３）。画像中にテロップが存在しないと判定されたときは動作が終了し、画像中にテロップが存在すると判定されたときはＳ１４に動作が進む。
【００６２】
ＣＰＵ６１はＳ１４に動作を進めると、番組データに含まれているテロップを後述するテロップ格納手段としてのテロップ格納テーブル１０７に格納する。例えば、番組のジャンルが映画の場合、字幕のテロップとそれ以外を分類して格納する。このとき、テロップが口語調の文章であれば“字幕”のテロップと判定し、テロップ分類テーブルの“字幕”の項目に格納する。それ以外のテロップは“その他”の項目に格納する。
【００６３】
テロップ格納テーブル１０７は図７に示すように、番組の映像に含まれていたテロップが番組のジャンルごとに格納されるテーブルである。テロップは番組の放送中、表示されたあと、直ちに消失してしまうことが多いので、そのようなテロップをテロップ格納テーブル１０７に格納することによって、コンピュータ２８に表示できるようにしている。
【００６４】
そして、ＣＰＵ６１はユーザがテロップ分割フィルタ設定画面１０６を用いた入力操作を行い設定されたテロップ抽出情報とテロップ格納テーブル１０７とを比較し、一致するかどうかでコンピュータ２８に表示するテロップかどうかを判定する（Ｓ１５）。ここで、ＣＰＵ６１は一致したときはＳ１６に進んでテロップ抽出処理等を行い、一致しなければ動作を終了する。
【００６５】
ＣＰＵ６１は、テロップ抽出処理を行うときは抽出手段としての動作を行い、テロップ格納テーブル１０７に格納したテロップのうち、テロップ抽出情報と一致するテロップを番組データから抽出する。さらにＣＰＵ６１は、調整手段としての動作を行い、コンピュータ２８の表示画面２８ａに収まるように、抽出したテロップのサイズおよびレイアウト調整を行い調整テロップとしてコンピュータ２８に出力する。この場合、ＣＰＵ６１は後述するテロップ表示コマンドを出力してテロップ設定を行う（Ｓ１６）。なお、ユーザがテロップ分割フィルタ設定画面１０６で、すべてのテロップの表示を“ＯＮ”と設定していた場合も、抽出したテロップのサイズとレイアウトを同様に調整してからコンピュータ２８に出力する。
【００６６】
このとき、ＣＰＵ６１は、テロップ表示制御手段としての動作を行い、テレビ放送の内容が変わり、テレビ放送からテロップが消失しても、次に表示される後続テロップが出現するまでテロップを表示し続けるためのテロップ表示コマンドをコンピュータ２８に出力する。こうすると、後続テロップが出現したとき、コンピュータ２８に表示されていたテロップがコンピュータ２８の表示画面２８ａから消失せずにコンピュータ２８でスクロールした画面の一番下に追加される。また、コンピュータ２８は、すでに表示していたテロップの表示サイズを縮小またはレイアウト変更し、次のテロップを追加するなどして前のテロップを表示し続けてもよい。
【００６７】
ここで、例えば、図８に示すように、画像表示装置１１に番組の画像１２０が表示され、その画像１２０にテロップ１２１、１２２が含まれていたとする。すると、ＣＰＵ６１は番組データからテロップ１２１、１２２を取り出しそれらをテロップ格納テーブル１０７に格納する。テロップ１２１、１２２のうち、テロップ１２２が“字幕”の項目に格納され、テロップ１２１はそのほかの項目に格納される。ユーザが図６に示すようにして、テロップ抽出情報を設定している場合、“字幕”の項目に格納されているテロップ１２２がテロップ抽出情報と一致することになるので、ＣＰＵ６１は番組データからテロップ１２２を抽出してコンピュータ２８に出力する。そのため、コンピュータ２８にはテロップ１２２と同じテロップ１２２ａが表示される。
【００６８】
そして、画像表示装置１１で受信する番組が変わり、図９に示す画像１３０が表示され、画像１３０にテロップ１３１、１３２が含まれていたとする。すると、この画像１３０の番組のジャンルが“緊急速報”であり、その場合のテロップは“地域情報”が「ＯＮ」になっているので、テロップ１３１、１３２はいずれもコンピュータ２８に出力され、コンピュータ２８にテロップ１３１，１３２と同じテロップ１３１ａ、１３２ａが表示される。
【００６９】
さらに、その番組内で画像が変わり、図１０に示す画像１４０が表示されたとする。この画像１４０には、テロップが含まれていないので、コンピュータ２８に新たなテロップが表示されることはないが、コンピュータ２８にはすでに表示していたテロップ１３１ａ、１３２ａが継続して表示される。
【００７０】
さらに、その番組内で画像が変わり、図１１に示す画像１５０が表示されたとする。この画像１５０には、テロップ１５１が含まれているので、コンピュータ２８にはテロップ１５１と同じテロップ１５１ａが表示される。この場合、コンピュータ２８では、すでに表示していたテロップ１３１ａ、１３２ａの最も下（テロップ１３２ａの下）に追加される形でテロップ１５１ａが表示される。ユーザはコンピュータ２８でマウスを操作するなどして画面をスクロールさせると、テロップ１３２ａの上に表示されていたテロップ１３１ａを表示させることができる。
【００７１】
また、図１２に示すように、全体のフォントを縮小したり、表示領域の寸法を変えるなどして、テロップ１３１ａ、１３２ａ、テロップ１５１ａをすべて表示するようにしてもよい。
【００７２】
このようにすることで、番組終了後でも、コンピュータ２８を用いて、ユーザはテロップを参照することが可能である。画像表示装置１１でテロップを表示する場合、表示後、すぐに画面から消失してしまうことがあるが、画像表示システム１００ではそのようなテロップも、コンピュータ２８の表示画面２８ａから消失せずに継続して表示することができる。なお、チャンネル切り替え時、番組の終了時には、ユーザの操作または自動でコンピュータ２８のテロップを消去してもよく、保存するようにしてもよい。
【００７３】
このように、画像表示システム１００では、画像表示装置１１とコンピュータ２８という２台の表示装置が連動し、データ放送やテロップをユーザに嗜好に適合した内容でコンピュータ２８で表示することで、ユーザのより快適なテレビ視聴を提供することが可能である。また、コンピュータ２８のように表示装置を内蔵し、さらにチューナを内蔵したコンピュータと、それに外付けされた別体の外部表示装置の二つの表示装置を有効に利用することもできる。
【００７４】
以上の実施の形態では、画像表示システム１００は画像表示装置１１、コンピュータ２８の２つの表示装置から構成されるとしているが、表示装置の個数は２台に限定されるものではない。表示装置の個数はユーザの必要に応じて変更できるようにしてもよい。
【００７５】
コンピュータ２８がチューナを内蔵している場合はコンピュータ２８によりテレビ放送を受信して、コンピュータ２８により、番組データやテロップの抽出を行い、その抽出した番組データやテロップなどを画像表示装置１１（または別体のコンピュータ）に出力してもよい。
【００７６】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００７７】
【図１】画像表示システムの構成を示すブロック図である。
【図２】画像表示装置と、それに接続される装置とを示すブロック図である。
【図３】画像表示装置の内部の主要な構成を示すブロック図である。
【図４】画像表示装置と、データ放送表示設定画面の一例を示す図である。
【図５】画像表示装置に番組の画像およびデータ放送の画像を表示する場合、番組の画像およびデータ放送の画像を画像表示装置とコンピュータに分けて表示する場合の一例を示す図である。
【図６】テロップ分割フィルタ設定画面と、テロップ分割フィルタ設定画面の一例を示す図である。
【図７】テロップ格納テーブルの一例を示す図である。
【図８】画像表示装置に番組の画像およびテロップを表示する場合、テロップをコンピュータに表示する場合の一例を示す図である。
【図９】画像表示装置に別の番組の画像およびテロップを表示する場合、テロップをコンピュータに表示する場合の一例を示す図である。
【図１０】画像表示装置に図９の後の番組が表示された場合の一例を示す図である。
【図１１】画像表示装置に図１０の後の番組が表示された場合の一例を示す図である。
【図１２】画像表示装置に図１０の後の番組が表示された場合の他の一例を示す図である。
【図１３】画像表示装置のシステムフローの動作手順を示すフローチャートである。
【図１４】画像表示装置でテロップを含む番組の画像を表示する場合の動作手順を示すフローチャートである。
【符号の説明】
【００７８】
１１，１０１…画像表示装置、２８…コンピュータ、６０…制御部、６１…ＣＰＵ、１００…画像表示システム、１０５…データ放送表示設定画面、１０６…テロップ分割フィルタ設定画面、１０７…テロップ格納テーブル、１２１，１２２、１３１，１３２、１４１，１４２…テロップ。
【図１】
2009246718.tif 000003
【図２】
2009246718.tif 000004
【図３】
2009246718.tif 000005
【図４】
2009246718.tif 000006
【図５】
2009246718.tif 000007
【図６】
2009246718.tif 000008
【図７】
2009246718.tif 000009
【図８】
2009246718.tif 000010
【図９】
2009246718.tif 000011
【図１０】
2009246718.tif 000012
【図１１】
2009246718.tif 000013
【図１２】
2009246718.tif 000014
【図１３】
2009246718.tif 000015
【図１４】
2009246718.tif 000016